(57)【要約】  【課題】  近年の多彩な機能を持つ機器を使いこなすために、操作一覧・機能一覧などをメニュー形式で表示することが多いが、目的とする機能や操作を探すためのメニュー検索機能は実装されておらず、また、各機器間やメーカー間でのメニュー表示に関する統一性がなく、利用者にとって操作し難いものになりつつあるという課題がある。  【解決手段】本発明は、かかる実情に鑑み、利用者が所望する機能を簡単に探すことができ、かつ、各自が使いやすいように変更が行えるメニューを作成するためのアイコン表示装置を提案する。表示するアイコンに関する情報と、当該のアイコンの表示箇所／形式に関する情報とを分けて保持し、表示形式を索引形式に切り替えることにより、メニュー項目の検索が行え、かつ、利用者の使い勝手に応じてアイコンの変更を可能にすることにより、利用者各自の使いやすいメニューを作成することができる。【選択図】            図１
2006048574.tif 000002
【特許請求の範囲】
【請求項１】
機器が有する機能を起動するためのアイコンを表示するための情報であるアイコン表示情報に基づいてアイコンをユーザーインターフェース上に表示するアイコン表示部と、
前記アイコン表示情報と、アイコン表示情報に基づいてユーザーインターフェース上に表示されるアイコン表示の属性を示す情報であるアイコン表示属性情報と、を関連付けて複数保持するアイコン表示情報保持部と、
前記アイコン表示部でのアイコン表示をアイコン表示情報に関連付けられたアイコン表示属性情報に基づいて制御するアイコン表示制御部と、
を有するアイコン表示装置。
【請求項２】
前記アイコン表示属性情報は、そのアイコンの呼び名と関連付けられた表音文字情報に対応し、
前記アイコン表示制御部は、前記表音文字情報に対応したアイコン表示属性情報に基づいて、前記アイコン表示部に対して索引形式でアイコンを表示させる制御を行うための索引形式表示手段を有する請求項１に記載のアイコン表示装置。
【請求項３】
前記アイコンの呼び名と関連付けられた表音文字情報に代えて、
アイコンを表象するための数字情報またはアイコンを表象するための色情報とした請求項２に記載のアイコン表示装置。
【請求項４】
前記アイコン表示属性情報は、一のアイコン表示情報に対して複数関連付けられており、
前記アイコン表示制御部は、前記複数のアイコン表示属性情報に基づいて複数形式の表示を行うためのアイコン表示形式切り替え手段を有する請求項１から３のいずれか一に記載のアイコン表示装置。
【請求項５】
前記アイコン表示情報保持部のアイコン表示情報を管理するためのアイコン表示情報管理部をさらに有する請求項１から４のいずれか一に記載のアイコン表示装置。
【請求項６】
前記アイコン表示情報管理部は、さらに、
前記アイコン表示情報保持部のアイコン表示属性情報を管理するためのアイコン表示属性情報管理手段をさらに有する請求項５に記載のアイコン表示装置。
【請求項７】
機器が有する機能が起動可能か起動不可能か判断するための判断部をさらに有し、
前記アイコン表示制御部は、前記判断部での判断結果に応じて前記機能に対応したアイコンの表示を異なる表示となるように制御する請求項１から６のいずれか一に記載のアイコン表示装置。
【請求項８】
前記機器は、記録再生装置である請求項１から７のいずれか一に記載のアイコン表示装置。
【請求項９】
機器が有する機能を起動するためのアイコンを表示するための情報であるアイコン表示情報に基づいてアイコンをユーザーインターフェース上に表示するアイコン表示ステップと、
前記アイコン表示情報と、アイコン表示情報に基づいてユーザーインターフェース上に表示されるアイコン表示の属性を示す情報であるアイコン表示属性情報と、を関連付けて複数保持するアイコン表示情報保持ステップと、
前記アイコン表示ステップでのアイコン表示をアイコン表示情報に関連付けられたアイコン表示属性情報に基づいて制御するアイコン表示制御ステップと、
を含むアイコン表示方法。
【請求項１０】
前記アイコン表示属性情報は、そのアイコンの呼び名と関連付けられた表音文字情報に対応し、
前記アイコン表示制御ステップは、前記表音文字情報に対応したアイコン表示属性情報に基づいて、前記アイコン表示部に対して索引形式でアイコンを表示させる制御を行うための索引形式表示ステップを有する請求項９に記載のアイコン表示方法。
【発明の詳細な説明】
【技術分野】
【０００１】
本発明は、アイコン表示装置に関するものである。
【背景技術】
【０００２】
現在使用されている種々の機器は、例えば、記録再生装置にデジタル放送受信機や、ハードディスク（ＨＤＤ）、ＤＶＤ内蔵チューナーなどがあるように、多彩な機能を統合したものが多く、その分、機能や操作など利用者が選択しなければならない項目が増大している。その多くの機能を使いこなすためには、機能一覧・操作一覧などをメニュー形式で表示し、利用者が選択できるようにすることが一般に行われている。
【特許文献１】特開２００４−１４０５１７号公報
【発明の開示】
【発明が解決しようとする課題】
【０００３】
しかしながら、メニュー項目の増大にもかかわらず、パソコンのヘルプ機能などを除いては、目的とする機能や操作を選択するためのメニュー検索機能は実装されていない。特に、項目が増大して階層化されたメニューなどでは、その階層も深くなり、目的とする機能を探すのが難しい場合がある。また、各機器間やメーカー間でのメニュー表示に関する統一性がなく、使用文言やメニュー上の配置（階層構造など）がまちまちであり、利用者にとって操作し難いものになりつつある。
【課題を解決するための手段】
【０００４】
本発明は、かかる実情に鑑み、利用者が所望する機能を簡単に探せて、かつ、各自が使いやすいように変更が行えるようなメニューを作成するためのアイコン表示装置を提案する。このアイコン表示装置は、項目ごとに設けるアイコン表示情報と表示のためのアイコン表示属性情報とによってメニュー画面を作成するものであり、利用者が機能を選択しやすいように種々の形式でのメニュー表示を提供し、利用者の使い勝手に応じたアイコンの変更などを行えるようにする。
【発明の効果】
【０００５】
本発明のアイコン表示装置においては、アイコン表示情報とアイコン表示属性情報とによってメニュー上にアイコンを表示し、例えば、メニューの形式を索引形式に切り替えることによってメニュー項目の検索を行えるようにしたり、利用者の使い勝手に応じてアイコンの変更を可能にしたりすることによって利用者が使いやすい操作環境を提供することが可能になる。
【発明を実施するための最良の形態】
【０００６】
以下に、各発明を実施するための最良の形態を説明する。なお、本発明はこれら実施の形態に何ら限定されるものではなく、その要旨を逸脱しない範囲において、種々なる態様で実施しうる。なお、以下に説明する実施形態と請求項の関係とを述べると、次のようになる。すなわち、実施形態１は、主に請求項１，９等について説明する。実施形態２は、主に請求項２、１０等について説明する。実施形態３は、主に請求項３等について説明する。実施形態４は、主に請求項４等について説明する。実施形態５は、主に請求項５等について説明する。実施形態６は、主に請求項６等について説明する。実施形態７は、主に請求項７等について説明する。実施形態８は、主に請求項８等について説明する。
【０００７】
<<実施形態１>>
<実施形態１の概要>
本実施形態は、保持しているアイコン表示情報と、関連するアイコン表示属性情報とによってメニュー上にアイコンを表示するアイコン表示装置である。
【０００８】
<実施形態１の構成>
図１は、本実施形態の機能ブロックの一例を示す。図１に示す本実施形態の「アイコン表示装置」（０１００）は、「アイコン表示部」（０１１０）と、「アイコン表示情報保持部」（０１２０）と、「アイコン表示制御部」（０１３０）とからなる。
【０００９】
「アイコン表示部」（０１１０）は、機器が有する機能を起動するためのアイコンを表示するための情報であるアイコン表示情報に基づいてアイコンをユーザーインターフェース上に表示するために設けられる。ここで「アイコン表示情報」とは、アイコンを表示するための情報であり、ユーザーインターフェース上に表示される画像に関する情報（形や色など）、アイコンによって起動される機能・操作等を含むものである。
【００１０】
「アイコン表示情報保持部」（０１２０）は、前記アイコン表示情報と、アイコン表示情報に基づいてユーザーインターフェース上に表示されるアイコン表示の属性を示す情報であるアイコン表示属性情報とを、関連付けて複数保持するために設けられる。ここで「アイコン表示属性情報」とは、ユーザーインターフェース上に表示されるアイコン表示の属性を示す情報であり、当該のアイコンをユーザーインターフェース上のどこに表示するかを定義する。例えば、一覧表示的なメニューであれば、最初から何番目に表示するか、また、階層構造を持つメニューであれば、どの階層の何番目に表示するか等を定義することが考えられる。
【００１１】
「アイコン表示制御部」（０１３０）は、前記アイコン表示部でのアイコン表示をアイコン表示情報に関連付けられたアイコン表示属性情報に基づいて制御するために設けられる。アイコン表示情報によって得られるアイコンの画像を、アイコン表示属性情報によって定義される表示箇所へ表示するように制御するものである。
【００１２】
<実施形態１の具体例の説明>
本実施形態の具体例を挙げて説明する。このアイコン表示装置では、アイコン表示制御部およびアイコン表示部が、保持する表示ルールによってアイコン表示属性情報を解釈し、ユーザーインターフェース上へアイコンを表示する。表示ルールとしては、メニュー項目の階層表示、一覧表示、グループ分けをした項目の一覧表示などが考えられる。ここでは、階層化されたメニューを、プルダウンで次階層が展開される形式で表示する場合を考える。
【００１３】
図２に本実施形態の具体的機能ブロックの一例を、また、図３にユーザーインターフェース上への表示の一例を示す。アイコン表示情報として、アイコンのイメージデータと、対応する機能・操作を保持し、また、アイコン表示属性情報として、標題として表示する第一階層のアイコンについては、「Ｈ」をつけた数字をアイコン表示の順番に保持し、プルダウンで表示されるアイコンについては、「−」で結んだ数字の並びで属する階層と表示の順番を表す情報を保持するものとする。
【００１４】
アイコン表示制御部（０２３０）は、アイコン表示情報保持部（０２２０）に保持されているアイコン表示属性情報を参照して、各アイコンが、ユーザーインターフェース上のどこに表示されるかを判断する。アイコン表示属性情報として「Ｈ」のつく数字を持つアイコンは、標題となる箇所に配置され、また、その他の「−」で結んだ数字をもつアイコンは、その数字に従って、最初の数字が「１」であれば、「Ｈ１」の標題の下に、「２」であれば「Ｈ２」の標題の下に、２番目の数字の順番にプルダウンで表示されるように配置される。
【００１５】
アイコン表示部（０２１０）は、アイコン表示制御部の制御に従って、ユーザーインターフェース上へアイコンを表示する。最初に標題となるアイコンを表示し、利用者の指示を待つ。利用者がいずれかの標題アイコンを選択したら、当該のアイコンの次階層に対応するアイコンをプルダウンで表示し、利用者の更なる指示を待ち、最終的には利用者の目的とする機能が選択される。
【００１６】
<実施形態１の処理の流れ>
図４は、実施形態１での処理の流れの一例を示したものである。本実施形態におけるアイコン表示方法は、以下に示すステップよりなる。最初に、機器が有する機能を起動するためのアイコンを表示するための情報であるアイコン表示情報と、アイコン表示情報に基づいてユーザーインターフェース上に表示されるアイコン表示の属性を示す情報であるアイコン表示属性情報とを関連づけて複数保持するための処理を行っておく（アイコン表示情報保持ステップ）。アイコン表示を、前記アイコン表示属性情報に基づいて制御するための処理を行う（アイコン表示制御ステップ  Ｓ０４１０）。次に、前記アイコン表示情報に基づいて、アイコンをユーザーインターフェース上に表示するための処理を行う（アイコン表示ステップ  Ｓ０４２０）。
【００１７】
<実施形態１の効果>
本発明のアイコン表示装置においては、保持しているアイコン表示情報とアイコン表示属性情報とによって、メニュー上にアイコンを表示する。表示されるアイコンに関する情報と、そのアイコンの表示箇所に関する情報とを分けて保持することにより、それぞれの変更が容易な、利用者にとって使いやすいメニューの作成を可能とする。
【００１８】
<<実施形態２>>
<実施形態２の概要>
本実施形態は、保持しているアイコン表示情報と、関連するアイコン表示属性情報とによってメニュー上にアイコンを表示するアイコン表示装置であり、アイコン表示属性情報に対応する表音文字情報をキーとする索引形式でのアイコン表示を行うことを特徴とする。
【００１９】
<実施形態２の構成>
図５は、本実施形態の機能ブロックの一例を示す。図５に示す本実施形態の「アイコン表示装置」（０５００）は、「アイコン表示部」（０５１０）と、「アイコン表示情報保持部」（０５２０）と、「アイコン表示制御部」（０５３０）とからなり、前記「アイコン表示制御部」（０５３０）は、「索引形式表示手段」（０５３１）を有する。前記「索引形式表示手段」を除いた構成は、実施形態１と共通であり、本実施形態は、索引形式によるアイコン表示を行うことを特徴とする。本実施形態においては、前記アイコン表示属性情報は、そのアイコンの呼び名と関連づけられた表音文字情報に対応する情報を持つ。表音文字情報は、索引形式でのアイコン表示を行うためのキーとなるものである。
【００２０】
「索引形式表示手段」（０５３１）は、前記表音文字情報に対応したアイコン表示属性情報に基づいて、前記アイコン表示部に対して索引形式でアイコンを表示させる制御を行うために設けられる。アイコン表示属性情報が持つ表音文字情報を索引のキーとして使用して、索引形式でアイコンを表示するように制御するものである。
【００２１】
<実施形態２の具体例の説明>
本実施形態の具体例を挙げて説明する。このアイコン表示装置では、索引形式表示手段が、アイコン表示属性情報の持つ表音文字情報をキーとして、索引形式でアイコンを表示するように制御し、アイコン表示部が、その制御に従って、アイコンをユーザーインターフェース上に表示するものである。
【００２２】
図６に本実施形態の具体的機能ブロックの一例を、また、図７にユーザーインターフェース上への索引形式メニューの表示の一例を示す。アイコン表示情報として、アイコンのイメージデータと、対応する機能・操作を保持し、また、アイコン表示属性情報として、対応する表音文字情報と、その表音文字による索引作成時の索引内での配置順序を表す数字とを「−」で結んだ情報を保持するものとする。索引形式表示手段（０６３１）は、アイコン表示情報保持部（０６２０）に保持されているアイコン表示属性情報を参照して、同じ表音文字情報を持つアイコンを、その配置順序を表す数字の順番に配置して、表音文字情報の種類数分の索引形式のメニューを作成する。アイコン表示部（０６１０）は、索引形式表示手段（０６３１）の制御に従って、ユーザーインターフェース上へ索引形式でアイコンを表示する。ユーザーインターフェース上では、利用者の検索により、表示する索引メニューを変更する。例えば、最初に「あ」という表音文字情報を持つアイコンのメニューを表示し、利用者が、その他の表音文字情報による検索を指示した場合には、指示された表音文字情報を持つアイコンのメニューを表示するように制御を行う。例えば、利用者が「は」を指示した場合には、「は」という表音文字情報を持つアイコンのメニューを表示する。なお、利用者の索引検索を助けるために、索引のキーとなった表音文字情報の一覧を表示することも考えられる。
【００２３】
<実施形態２の処理の流れ>
本実施形態におけるアイコン表示方法は、実施形態１における処理と同様のステップよりなる。ただし、アイコン表示情報保持ステップにおいて、アイコン表示属性情報は、そのアイコンの呼び名と関連付けられた表音文字情報に対応し、アイコン表示制御ステップにおいて、前記表音文字情報に対応したアイコン表示属性情報に基づいて、アイコン表示部に対して索引形式でアイコンを表示させる制御をするための処理を行う（索引形式表示ステップ）。その他の処理は、実施形態１における処理と同様である。
【００２４】
<実施形態２の効果>
本発明のアイコン表示装置においては、アイコン表示属性情報に対応する表音文字情報をキーとする索引形式でのアイコン表示を行うことにより、メニュー項目の検索を可能とするため、利用者が目的とする機能・操作を容易に選択することができる。
【００２５】
<<実施形態３>>
<実施形態３の概要>
本実施形態は、保持しているアイコン表示情報と、関連するアイコン表示属性情報とによってメニュー上に索引形式でのアイコン表示を行うアイコン表示装置であり、表音文字情報に代えて、アイコンを表象するための数字情報またはアイコンを表象するための色情報をキーとする索引形式でのアイコン表示を行うことを特徴とする。
【００２６】
<実施形態３の構成>
本実施形態の機能ブロックの一例は、実施形態２において図５で示したものと同様である。図５に示す本実施形態の「アイコン表示装置」（０５００）は、「アイコン表示部」（０５１０）と、「アイコン表示情報保持部」（０５２０）と、「アイコン表示制御部」（０５３０）とからなり、前記「アイコン表示制御部」（０５３０）は、「索引形式表示手段」（０５３１）を有する。本実施形態の構成は、実施形態２における構成と同様である。ただし、本実施形態は、表音文字情報に代えて、アイコンを表象するための数字情報、または、アイコンを表象するための色情報をキーとする索引形式でのアイコン表示を行う。アイコン表示属性情報には、アイコンを表象するための数字情報、または、アイコンを表象するための色情報に対応する情報を持ち、索引形式表示手段（０５３１）は、当該の情報に基づいて、アイコン表示部（０５１０）に対して、数字情報または色情報を索引のキーとする索引形式でアイコンを表示させる制御を行う。具体的には、例えば、実施形態２における表音文字情報を数字情報、または、色情報に代えて、アイコン表示属性情報に持たせることにより、数字情報、または、色情報に基づいた索引形式のアイコン表示が行われる。なお、色情報に関しては、アイコン表示属性情報上での表現と、それをユーザーインターフェース上に表示する場合の色情報との対応表を設け、処理を行うなどのことも考えられる。
【００２７】
<実施形態３の処理の流れ>
本実施形態におけるアイコン表示装置の処理の流れは、実施形態１または２における処理の流れと同様である。ただし、アイコン表示情報保持ステップにおいて、アイコン表示属性情報はアイコンを表象するための数字情報またはアイコンを表象するための色情報に対応し、アイコン表示制御ステップにおいて、前記数字情報または色情報に対応したアイコン表示属性情報に基づいて、アイコン表示部に対して索引形式でアイコンを表示させるように制御を行う。その他の処理は、実施形態１または２における処理と同様である。
【００２８】
<実施形態３の効果>
メニューの表示に関しては、必ずしも、表音文字による索引形式のみが役立つとは限らない。例えば、機能の実行順にメニュー項目を分類し、順番に利用者に選択させる、または、機器の機能毎にイメージカラーを設定し、各機器の機能を分類して表示する等、様々な方式が考えられる。本発明のアイコン表示装置においては、アイコン表示属性情報に対応する数字情報もしくは色情報をキーとする索引形式でのアイコン表示を行うことにより、様々な方式でのメニュー項目の表示を可能とし、利用者にとって使いやすい操作環境を用意することができる。
【００２９】
<<実施形態４>>
<実施形態４の概要>
本実施形態は、保持しているアイコン表示情報と、関連するアイコン表示属性情報とによってメニュー上にアイコンを表示するアイコン表示装置であり、一つのアイコンに対して複数のアイコン表示属性情報を保持することにより、複数形式のアイコン表示を行うことができることを特徴とする。
【００３０】
図８は、本実施形態の概念の一例を示すものである。利用者の指示により、アイコン表示を切り替えて、異なる表示形式のメニューを表示することができる。
【００３１】
<実施形態４の構成>
図９は、本実施形態の機能ブロックの一例を示す。図９に示す本実施形態の「アイコン表示装置」（０９００）は、「アイコン表示部」（０９１０）と、「アイコン表示情報保持部」（０９２０）と、「アイコン表示制御部」（０９３０）とからなり、前記「アイコン表示制御部」（０９３０）は、「索引形式表示手段」（０９３１）と、「アイコン表示形式切り替え手段」（０９３２）とを有する。前記「アイコン表示形式切り替え手段」を除いた構成は、実施形態２および３と共通であり、本実施形態は、複数形式のアイコン表示を行うことを特徴とする。本実施形態においては、アイコン表示属性情報は、一つのアイコン表示情報に対して複数関連づけられており、それぞれのアイコン表示属性情報に基づいて、それぞれ異なる形式のアイコン表示を可能とする。
【００３２】
「アイコン表示形式切り替え手段」（０９３２）は、前記複数のアイコン表示属性情報に基づいて複数形式の表示を行うために設けられる。表示形式としては、アイコンの一覧表示、階層表示、索引形式での表示などが考えられるが、利用者の指示により、その表示形式を切り替えるための処理を行うものである。例えば、階層表示と、索引形式での表示とを行う場合であれば、アイコン表示情報保持部においては、一つのアイコン表示情報に対して、階層表示用と索引形式表示用との二つのアイコン表示属性情報を保持する。図１０にアイコン表示情報保持部で保持する情報の一例を示す。アイコン表示形式切り替え手段は、利用者の指示により、どちらの形式での表示を行うかを判断し、アイコン表示制御部での処理を切り替える。アイコン表示部は、アイコン表示制御部での処理に応じたアイコン表示を行う。
【００３３】
それぞれの形式での表示に関する処理は、実施形態１から３における処理と同様である。なお、切り替えに関する利用者の指示を受けるためには、例えば、表示するメニュー上に、表示形式切り替えのためのボタンを表示する、または、アイコン表示装置を実装する機器のリモコン等に指示用の機能を用意する等が考えられる。
【００３４】
<実施形態４>
図１１は、実施形態４での処理の流れの一例を示したものである。本実施形態におけるアイコン表示装置の処理の流れは、実施形態１から３のいずれかにおける処理の流れと同様に、アイコン表示情報保持ステップ、アイコン表示制御ステップ（Ｓ１１１０）、アイコン表示ステップ（Ｓ１１２０）を行う。その後、利用者の表示形式切り替えの指示があれば、表示形式を切り替えるための処理を行い（Ｓ１１３０）、再度、アイコン表示制御ステップへ戻って、指示された形式による表示を行うための処理を行う。
【００３５】
<実施形態４の効果>
本発明のアイコン表示装置においては、一つのアイコンに対して、アイコン表示属性情報を複数保持することにより、複数形式のアイコン表示を行うことができる。利用者が、複数形式の表示を切り替えて、適切なメニューを利用することが可能となり、より使い勝手の良い操作環境を用意することができる。
【００３６】
<<実施形態５>>
<実施形態５の概要>
本実施形態は、保持しているアイコン表示情報と、関連するアイコン表示属性情報とによってメニュー上にアイコンを表示するアイコン表示装置であり、アイコン表示情報の管理により、アイコンの変更や追加、削除などを可能にすることを特徴とする。
【００３７】
<実施形態５の構成>
図１２は、本実施形態の機能ブロックの一例を示す。図１２に示す本実施形態の「アイコン表示装置」（１２００）は、「アイコン表示部」（１２１０）と、「アイコン表示情報保持部」（１２２０）と、「アイコン表示制御部」（１２３０）と、「アイコン表示情報管理部」（１２４０）とからなる。前記「アイコン表示情報管理部」を除いた構成は、実施形態１における構成と共通であり、本実施形態は、アイコン表示情報の管理を行い、アイコンの変更や追加、削除などを可能にすることを特徴とする。
【００３８】
「アイコン表示情報管理部」（１２４０）は、前記アイコン表示情報保持部のアイコン表示情報を管理するために設けられる。アイコン表示情報の変更を可能にすることにより、利用者による、メニュー上のアイコンの変更、追加、削除などが可能となる。また、アイコン表示情報の変更の一種として、アイコンに表示条件などを付加することにより、例えば、時間に応じた変更（午前中のみ表示する等）や、条件による表示メニューの変更（ある機能の実行後などの条件に合致した場合のみ表示するように定義する等）が可能となる。なお、表示条件を付加する場合には、アイコン表示情報として、アイコンの画像情報や機能・操作に関する情報のみでなく、表示条件に関する情報も保持するものとする。
【００３９】
具体的な処理としては、例えば、メニュー上に表示されたアイコンに対して、変更を指示できるようなユーザーインターフェースを設け、利用者の指示に従って、アイコン表示情報を変更する、もしくは、アイコン変更用のアイコン表示情報一覧を表示する等が考えられる。
【００４０】
ユーザーインターフェースの一例を図１３に示す。図１３においては、表示しているメニューの一部にアイコンを変更するためのボタンを追加し、利用者は、いずれかのボタンを選択することにより、メニュー上のアイコンに対する処理を行う。例えば、「変更」のボタンを選択し、変更対象として、「パスワード設定」のアイコンを指示すると、アイコン変更画面となり、変更する内容を入力する。
【００４１】
前記アイコン表示情報管理部は、指示された内容をもって、アイコン表示情報の変更を行い、アイコン表示情報保持部へ反映する。
【００４２】
<実施形態５の効果>
本発明のアイコン表示装置においては、アイコン表示情報の管理により、アイコンの変更や追加、削除などを可能とする。利用者が、各自にとって利用しやすいようにアイコンの変更等を行うことにより、より使い勝手の良いメニューを作成することができる。
【００４３】
<<実施形態６>>
<実施形態６の概要>
本実施形態は、保持しているアイコン表示情報と、関連するアイコン表示属性情報とによってメニュー上にアイコンを表示するアイコン表示装置であり、アイコン表示情報の管理により、アイコンの変更や追加、削除などを可能にし、更に、アイコン表示属性情報の管理により、当該のアイコンのユーザーインターフェース上の表示箇所の変更を可能とすることを特徴とする。
【００４４】
<実施形態６の構成>
図１４は、本実施形態の機能ブロックの一例を示す。図１４に示す本実施形態の「アイコン表示装置」（１４００）は、「アイコン表示部」（１４１０）と、「アイコン表示情報保持部」（１４２０）と、「アイコン表示制御部」（１４３０）と、「アイコン表示情報管理部」（１４４０）とからなり、前記「アイコン表示情報管理部」（１４４０）は、「アイコン表示属性情報管理手段」（１４４１）を有する。  前記「アイコン表示属性情報管理手段」を除いた構成は、実施形態５における構成と共通であり、本実施形態は、アイコン表示属性情報の管理を行い、アイコンのユーザーインターフェース上の表示箇所の変更を可能にすることを特徴とする。
【００４５】
「アイコン表示属性情報管理手段」（１４４１）は、前記アイコン表示情報保持部のアイコン表示属性情報を管理するために設けられる。アイコン表示属性情報の変更を可能にすることにより、アイコンのユーザーインターフェース上での表示箇所の変更を行う。例えば、実施形態５においてアイコン表示情報の変更があったアイコンに関しては、索引のキーとなる情報も変更となるなど、ユーザーインターフェース上の表示箇所（メニュー上の配置）が適当でなくなる場合が考えられる。また、アイコンに変更はなくとも、利用者によっては、各自の好みによるメニューの表示を行いたい場合も考えられる。利用者にとって使い勝手の良いメニュー表示を行うために、アイコン表示属性情報の変更により、アイコンのメニュー上での配置の変更を行う。
【００４６】
具体的には、例えば、メニュー上に表示されたアイコンに対して、表示箇所の変更を指示するユーザーインターフェースを設け、アイコンのメニュー上での移動を指示できるようにする、または、実施形態５に示すアイコン変更に伴う処理として、表示箇所変更の指示も行えるようにするなどが考えられる。索引形式の表示を行う場合には、索引のキーとなる表音文字や、数字情報等の指示を行い、表示箇所となるメニューを表示して、そのメニュー上での位置を指定する等も考えられる。
【００４７】
アイコン表示属性情報管理手段は、その結果をもってアイコン表示属性情報の変更を行い、アイコン表示情報保持部へ反映する。
【００４８】
<実施形態６の効果>
本発明のアイコン表示装置においては、アイコン表示属性情報の管理により、アイコンのユーザーインターフェース上での表示箇所の変更を可能とする。利用者が、各自にとって利用しやすいようにアイコンの表示箇所の変更を行うことにより、より使い勝手の良いメニューを作成することができる。
【００４９】
<<実施形態７>>
<実施形態７の概要>
本実施形態は、保持しているアイコン表示情報と、関連するアイコン表示属性情報とによってメニュー上にアイコンを表示するアイコン表示装置であり、表示するアイコンに対応する機能が起動可能か起動不可能かによって、異なる表示を行うことを特徴とする。
【００５０】
<実施形態７の構成>
図１５は、本実施形態の機能ブロックの一例を示す。図１５に示す本実施形態の「アイコン表示装置」（１５００）は、「アイコン表示部」（１５１０）と、「アイコン表示情報保持部」（１５２０）と、「アイコン表示制御部」（１５３０）と、「判断部」（１５４０）とからなる。前記「判断部」を除いた構成は、実施形態１における構成と共通であり、本実施形態は、アイコンによって起動される機能が、その時点で起動可能かどうかを判断し、利用者にわかるように異なる表示を行うことを特徴とする。
【００５１】
「判断部」（１５４０）は、機器が有する機能が起動可能か起動不可能か判断するために設けられる。前記アイコン表示制御部は、前記判断部での判断結果に応じて、当該の機能に対応したアイコンの表示を異なる表示となるように制御する。機器の有する機能は、動作状況に応じて、起動不可能な場合がある。例えば、記録再生装置において、ＨＤＤからの映像再生時には、ＤＶＤの再生メニューは実行できない。しかし、索引形式によるメニュー表示等、メニューの構成によっては、一律に表示が行われることになり、利用者にとってわかりにくい事態が発生する。そこで、機能の起動可能／不可能によってアイコン表示を区別し、利用者に明示する。具体的には、アイコン表示制御部は、アイコン表示属性情報による制御時、アイコン表示情報として保持されているアイコンによって起動される機能・操作に関して、判断部による判断を仰ぎ、その結果に応じて、異なる表示を行うように、アイコン表示部を制御する。判断部は、機器の動作状況を参照し、当該の機能が起動可能か不可能かを判断する。機能の起動可能／不可能によってアイコン表示を区別するためには、例えば、アイコン表示情報として、起動可能な場合と不可能な場合との２種類のアイコンを登録し、表示時点での状況によって切り替える、または、起動不可能な場合には、色を変えたり、×を重ねたりして表示するなどが考えられる。
【００５２】
<実施形態７の処理の流れ>
本実施形態におけるアイコン表示装置の処理の流れは、実施形態１から６のいずれかにおける処理と同様である。ただし、アイコン表示制御ステップにおいて、アイコンに対応する機能が起動可能か起動不可能かを判断し、判断結果に応じて、アイコンの表示を異なる表示となるように制御を行う。その他の処理は、実施形態１から６のいずれかにおける処理と同様である。
【００５３】
<実施形態７の効果>
本発明のアイコン表示装置においては、表示するアイコンに対応する機能が、起動可能か不可能かによって、異なる表示を行う。利用者が、その時点で利用可能な機能のみを選択することが可能となり、より操作性の高いメニューを提供することができる。
【００５４】
<<実施形態８>>
<実施形態８の概要>
本実施形態は、保持しているアイコン表示情報と、関連するアイコン表示属性情報とによってメニュー上にアイコンを表示するアイコン表示装置であり、実装する機器は、記録再生装置であることを特徴とする。
【００５５】
<実施形態８の構成>
図１６は、本実施形態の機能ブロックの一例を図１６に示す。図１６に示す本実施形態の「アイコン表示装置」（１６１０）は、「アイコン表示部」（１６１１）と、「アイコン表示情報保持部」（１６１２）と、「アイコン表示制御部」（１６１３）とからなり、「記録再生装置」（１６００）に実装される。本実施形態のアイコン表示装置の構成は、実施形態１と同様であり、また、実施形態２から７のいずれとも同様に構成される。本実施形態は、記録再生装置上に実装されることを特徴とする。
【００５６】
「記録再生装置」（１６００）は、いわゆるＨＤＤレコーダーやＤＶＤレコーダーなどである。近年の記録再生装置は、デジタル放送受信装置、ＨＤＤ内蔵、ＤＶＤ内蔵チューナーなど多彩な機能が統合されており、更に、ｉＬＩＮＫ、メール、Ｗｅｂブラウザなどの機能が統合された商品が増加してきている。それに付随して、一つの機器で利用できる機能は増加・複雑化し、利用者の操作に関する負担も増加している。このような状況において、記録再生装置に当該のアイコン表示装置を実装することにより、目的とする機能を容易に選択することができる、利用者各自の使い勝手に合わせたメニュー表示を行うことができる。
【００５７】
<実施形態８の効果>
本発明のアイコン表示装置を記録再生装置に実装することにより、目的とする機能を容易に選択することができる、利用者各自の使い勝手に合わせたメニュー表示を行えるので、複雑化した機能を持つ機器の操作に関する利用者の負担を軽減することができる。
【産業上の利用可能性】
【００５８】
本発明によれば、メニュー項目の検索により目的とする機能を容易に選択することができ、利用者各自の使い勝手に応じたメニュー表示が行えるので、アイコン表示装置として有用である。
【図面の簡単な説明】
【００５９】
【図１】実施形態１を説明するための機能ブロック図
【図２】実施形態１を説明するための具体的機能ブロック図
【図３】階層化されたメニューの一例を示す図
【図４】実施形態１の処理の流れを説明する図
【図５】実施形態２、３を説明するための機能ブロック図
【図６】実施形態２を説明するための具体的機能ブロック図
【図７】索引形式メニューの一例を示す図
【図８】実施形態４を説明するための概念図
【図９】実施形態４を説明するための機能ブロック図
【図１０】実施形態４を説明するためのアイコン表示情報保持部の一例を示す図
【図１１】実施形態４の処理の流れを説明する図
【図１２】実施形態５を説明するための機能ブロック図
【図１３】実施形態５を説明するためのユーザーインターフェースの一例を示す図
【図１４】実施形態６を説明するための機能ブロック図
【図１５】実施形態７を説明するための機能ブロック図
【図１６】実施形態８を説明するための機能ブロック図
【符号の説明】
【００６０】
０１００    アイコン表示装置
０１１０    アイコン表示部
０１２０    アイコン表示情報保持部
０１３０    アイコン表示制御部
【図１】
2006048574.tif 000003
【図２】
2006048574.tif 000004
【図３】
2006048574.tif 000005
【図４】
2006048574.tif 000006
【図５】
2006048574.tif 000007
【図６】
2006048574.tif 000008
【図７】
2006048574.tif 000009
【図８】
2006048574.tif 000010
【図９】
2006048574.tif 000011
【図１０】
2006048574.tif 000012
【図１１】
2006048574.tif 000013
【図１２】
2006048574.tif 000014
【図１３】
2006048574.tif 000015
【図１４】
2006048574.tif 000016
【図１５】
2006048574.tif 000017
【図１６】
2006048574.tif 000018